(57)【要約】【課題】直感的な入力操作を可能とする表示装置を提供する。【解決手段】車両等の乗り物に搭載される表示装置は、情報を表示する表示部の前面側に位置するパネル部３０を備える。パネル部３０は、カバー３１と、センサシート３２とを有する。カバー３１には、入力操作を行うユーザの部位が接触する立体形状の操作部が形成されている。センサシート３２は、カバー３１の背面に沿って設けられ、ユーザの部位が操作部に接触したことを検出する。例えば、操作部は、スライド操作部Ｍ１とタップ操作部Ｍ２を含む。また、センサシート３２は、スライド操作部Ｍ１の立体形状に対応した形状の第１対応部Ｃ１と、タップ操作部Ｍ２の立体形状に対応した形状の第２対応部Ｃ２とを有する。スライド操作部Ｍ１は、表示部の外周の少なくとも一部に沿って形成され、入力操作としてのスライド操作ＯＰ１を受け付ける。【選択図】図５
2020204868.tif 000002
【特許請求の範囲】
【請求項１】
乗り物に搭載される表示装置であって、
情報を表示する表示部と、
前記表示部の前面側に位置し、前記表示部を透かして視認させる透光部を有するパネル部と、を備え、
前記パネル部は、
入力操作を行うユーザの部位が接触する立体形状の操作部が形成されたカバーと、
前記カバーにおける前記表示部側の面に沿って設けられ、前記部位が前記操作部に接触したことを検出するセンサシートと、を備え、
前記センサシートは、前記操作部の前記立体形状に対応した形状の対応部を有し、
前記操作部は、前記表示部の外周の少なくとも一部に沿って形成され、前記入力操作としてのスライド操作を受け付けるスライド操作部を含む、
表示装置。
【請求項２】
前記操作部は、前記入力操作としてのタップ操作を受け付けるタップ操作部を含み、
前記タップ操作部は、前記スライド操作部とは異なる位置において前記カバーの前面側へと隆起している、
請求項１に記載の表示装置。
【請求項３】
前記センサシートが検出した前記部位の位置と対応して発光する発光報知部を備え、
前記発光報知部は、前記パネル部に向けて光を発することで、前記部位が触れている位置を報知する、
請求項１又は２に記載の表示装置。
【請求項４】
前記スライド操作部と前記センサシートの間、及び、前記センサシートの前記スライド操作部と対向する箇所の背面の少なくともいずれかには、前記発光報知部が前記スライド操作部に向けて発した光を透過させるとともに所定の色を有する光透過着色層が設けられている、
請求項３に記載の表示装置。
【請求項５】
前記スライド操作部は、円弧に沿った形状、又は円環状をなす、
請求項１乃至４のいずれか１項に記載の表示装置。
【請求項６】
前記カバーと前記センサシートとは、一体に成形されている、
請求項１乃至５のいずれか１項に記載の表示装置。
【請求項７】
画像の表示制御を行う制御部を備え、
前記画像は、前記表示部に表示されるか、前記表示部とは異なる位置に設けられた画像表示器に表示され、
前記制御部は、前記センサシートからの検出信号に基づき前記スライド操作がなされたことを特定し、特定した前記スライド操作に応じて前記画像に含まれる所定画像を移動させる、
請求項１乃至６のいずれか１項に記載の表示装置。
【発明の詳細な説明】
【技術分野】
【０００１】
本発明は、乗り物に搭載される表示装置に関する。
【背景技術】
【０００２】
乗り物に搭載される表示装置として、例えば特許文献１には、車両に搭載され、オーディオやカーナビゲーションに関する情報を表示する表示装置が開示されている。特許文献１に開示された表示装置は、タッチ操作を受け付けるステアリングスイッチにより各種の入力操作が可能に構成されている。
【先行技術文献】
【特許文献】
【０００３】
【特許文献１】特開２０１３−３３３０９号公報
【発明の概要】
【発明が解決しようとする課題】
【０００４】
ステアリングスイッチは、ステアリングの一部に設けられるという制約上、操作方法や操作部分が限定される可能性がある。乗り物に搭載される表示装置に、より直感的な操作を受け付ける構成があれば便利である。
【０００５】
本発明は、上記実情に鑑みてなされたものであり、直感的な入力操作を可能とする表示装置を提供することを目的とする。
【課題を解決するための手段】
【０００６】
上記目的を達成するため、本発明に係る表示装置は、
乗り物に搭載される表示装置であって、
情報を表示する表示部と、
前記表示部の前面側に位置し、前記表示部を透かして視認させる透光部を有するパネル部と、を備え、
前記パネル部は、
入力操作を行うユーザの部位が接触する立体形状の操作部が形成されたカバーと、
前記カバーにおける前記表示部側の面に沿って設けられ、前記部位が前記操作部に接触したことを検出するセンサシートと、を備え、
前記センサシートは、前記操作部の前記立体形状に対応した形状の対応部を有し、
前記操作部は、前記表示部の外周の少なくとも一部に沿って形成され、前記入力操作としてのスライド操作を受け付けるスライド操作部を含む。
【発明の効果】
【０００７】
本発明によれば、直感的な入力操作を可能とする表示装置を提供することができる。
【図面の簡単な説明】
【０００８】
【図１】本発明の一実施形態に係る表示装置の正面図である。
【図２】主にユーザによる操作を説明するための表示装置の斜視図である。
【図３】パネル部を外した車両用表示装置の斜視図である。
【図４】パネル部の背面側斜視図である。
【図５】（ａ）は、図４に示すＡ−Ａ線でのパネル部の概略断面図であり、（ｂ）は、図４に示すＤ−Ｄ線でのパネル部の概略断面図である。
【図６】（ａ）〜（ｃ）は、入力操作に応じた画像の遷移例を示す図である。
【図７】一変形例に係る表示装置の正面図である。
【発明を実施するための形態】
【０００９】
本発明の一実施形態について図面を参照して説明する。
【００１０】
本発明の一実施形態に係る表示装置１００は、例えば自動二輪車である車両のハンドル近傍に設けられる。表示装置１００は、車両の運転者としてのユーザが、指１（図２参照）で触れることが可能な操作部（後述のスライド操作部Ｍ１、タップ操作部Ｍ２）を備える。ユーザは、操作部を指１で触れることで車両の所定機器に対する入力操作を行う。以下では、表示装置１００に対してのユーザ側を前方（図における「Ｆ」）、その反対側を後方（図における「Ｂ」）とし、適宜の説明を行う。
【００１１】
表示装置１００は、図１〜図５に示すように、表示部１０と、画像表示器２０と、パネル部３０と、アウターケース４０と、発光報知部５０と、インナーケース６０と、第１基板７１と、第２基板７２と、を備える。
【００１２】
表示部１０は、図１に示すように正面視で円状をなし、例えば、指針１２によって車両に関する計測量を表示する指針式計器として構成される。表示部１０は、後述の意匠板１１が有する文字板部１１１と、文字板部１１１の前方において回転可能に設けられた指針１２とを有する。文字板部１１１には、指針１２の先端に指示される指標部（図示せず）を有する。指標部は、指針１２の回転範囲に渡って設けられた目盛、数値などからなり、例えば、印刷によって形成されている。本実施形態に係る表示部１０は、タコメータとして構成され、指針１２の指示箇所と、指標部との対比によりエンジンの回転数をユーザに把握させる。
【００１３】
図３に示す意匠板１１は、後述のパネル部３０とインナーケース６０との間に位置する。意匠板１１は、所定の樹脂により板状に形成され、文字板部１１１と、枠部１１２とを有する。文字板部１１１は、前述のように指標部が形成された円盤状の部分である。文字板部１１１には、指針１２を回転させるための回転軸（図示せず）を通す貫通孔１１１ａが形成されている。この回転軸は、後述の第１基板７１に実装されたモータ（図示せず）の動作に応じて回転する。枠部１１２は、画像表示器２０の前面側に位置し、画像表示器２０における画像表示領域に対応して形成された矩形状の開口部１１２ａを有する。
【００１４】
画像表示器２０は、車両に関する情報（以下、車両情報と言う。）を画像で表示するものであり、例えば、ＬＣＤ（Liquid Crystal Display）やＯＬＥＤ（Organic Light Emitting Diodes）等から構成されている。なお、車両情報は、車両自体の情報だけでなく、車両の運行に関連した車両外部の情報も含む。
【００１５】
パネル部３０は、表示部１０及び画像表示器２０の前面側に位置するパネル状の部材である。パネル部３０は、図１及び図４に破線で示すように、表示部１０及び画像表示器２０を透かして視認させる透光部３０ａを備える。パネル部３０は、カバー３１とセンサシート３２とを有し、例えば、両者が一体化されて構成されている。
【００１６】
カバー３１は、例えば、ポリメタクリル酸メチル樹脂（ＰＭＭＡ）などの透光性を有する樹脂から形成された板状の部材である。カバー３１は、アウターケース４０の前方端部に嵌め合わされることで、アウターケース４０と共に表示装置１００の外装を形成する。
【００１７】
カバー３１は、図１に示すように、円状の表示部１０の外周に沿って円弧状に形成されたスライド操作部Ｍ１を有する。具体的に、スライド操作部Ｍ１は、画像表示器２０と対向する領域が間欠した円環状に形成され、Ｃ字状に形成されている。スライド操作部Ｍ１は、図２に示すように、ユーザの指１によるスライド操作ＯＰ１を受け付ける部分であり、前方に向かって隆起した立体形状で形成されている。スライド操作ＯＰ１は、ユーザが指１をスライド操作部Ｍ１の表面に接触させつつ、スライド操作部Ｍ１の形状に沿って円弧状に移動させる操作である。
【００１８】
また、カバー３１におけるスライド操作部Ｍ１とは異なる位置には、タップ操作部Ｍ２が形成されている。例えば、タップ操作部Ｍ２は、図１に示すように、画像表示器２０の下方に位置し、円状に形成されている。タップ操作部Ｍ２は、図２に示すように、ユーザの指１によるタップ操作ＯＰ２を受け付ける部分であり、前方に向かって隆起した立体形状で形成されている。タップ操作ＯＰ２は、ユーザが指１で、タップ操作部Ｍ２の表面をタップする操作である。
【００１９】
この実施形態では、タップ操作部Ｍ２がユーザから見ての左右方向に沿って２つ設けられている。以下では、図１等に示すように、２つのタップ操作部Ｍ２の各々を、左から右に向かって順に、「第１タップ部Ｍａ」、「第２タップ部Ｍｂ」と呼ぶ。
【００２０】
センサシート３２は、例えば静電容量方式のセンサシートであり、ユーザの指１がスライド操作部Ｍ１又はタップ操作部Ｍ２に接触したことを示す検出信号を、後述の制御部に供給する。センサシート３２は、図４に示すように、カバー３１の背面に沿って設けられている。例えば、一枚のセンサシート３２がカバー３１の背面の全域に亘って設けられている。
【００２１】
センサシート３２は、例えば、射出成形によってカバー３１と一体に成形されている。射出成形を利用してセンサシート３２とカバー３１とを一体に成形する手法は、インモールド成形やフィルムインサート成形などの公知の手法を採用することができる。このように形成されたセンサシート３２は、図５（ａ）、（ｂ）に示すように、スライド操作部Ｍ１の立体形状に対応した第１対応部Ｃ１と、タップ操作部Ｍ２の立体形状に対応した第２対応部Ｃ２と、を有する。
【００２２】
図５（ａ）に示すように、カバー３１のスライド操作部Ｍ１が設けられた箇所の背面には、後述の発光報知部５０がスライド操作部Ｍ１に向けて発した光を透過させるとともに所定の色を有する光透過着色層３１ａが設けられている。光透過着色層３１ａは、メタリック調の色（例えばシルバー）を有するとともに、光を透過可能な印刷層から形成されている。これにより、スライド操作部Ｍ１は、金属で形成されたかのような見栄えとなっている。また、図５（ａ）に示すように、カバー３１のスライド操作部Ｍ１が設けられた箇所の背面の一部には、加飾層３１ｃが設けられている。加飾層３１ｃは、例えば、光透過着色層３１ａに背面側から覆われている。加飾層３１ｃは、図１に示すように、正面視では、スライド操作部Ｍ１の形状に沿って円弧状に形成され、スライド操作ＯＰ１が可能であることや、スライド操作ＯＰ１の操作可能領域をユーザに表示するために設けられている。なお、加飾層３１ｃは、図形やアイコンの他、文字を表すように形成してもよい。
【００２３】
また、図５（ｂ）に示すように、カバー３１のタップ操作部Ｍ２が設けられた箇所の背面にも、光透過着色層３１ａが設けられている。タップ操作部Ｍ２に対応して設けられた光透過着色層３１ａは、後述の第２光源からの光を透過可能であればよく、スライド操作部Ｍ１に対応して形成された光透過着色層３１ａの色と異なっていてもよい。なお、図５（ｂ）では、タップ操作部Ｍ２の第１タップ部Ｍａについて示したが、カバー３１の第２タップ部Ｍｂが設けられた箇所の背面にも、第１タップ部Ｍａと同様に光透過着色層３１ａが設けられている。
【００２４】
また、図５（ａ）、（ｂ）に示すように、パネル部３０の透光部３０ａ以外の領域であって、カバー３１の背面において光透過着色層３１ａ及び加飾層３１ｃが形成されていない部分には、遮光層３１ｂが設けられている。パネル部３０は、この遮光層３１ｂが形成された領域によって、パネル部３０内部における見栄え上の不要部分を覆い隠す。
【００２５】
センサシート３２は、透光性を有して形成されている。パネル部３０のうち、表示部１０と画像表示部２０の画像表示領域を透かして視認させる透光部３０ａは、カバー３１のうち、光透過着色層３１ａ、加飾層３１ｃ及び遮光層３１ｂが形成されていない部分と、当該部分と対向するセンサシート３２の部分とで構成されている。なお、パネル部３０における透光部３０ａに対応する領域に、透光性の印刷層が設けられていてもよい。
【００２６】
なお、光透過着色層３１ａ、加飾層３１ｃ及び遮光層３１ｂは、例えば、スクリーン印刷やパッド印刷により形成することができる。また、光透過着色層３１ａ、加飾層３１ｃ及び遮光層３１ｂは、各々の機能を発揮できる限りにおいては、どのような色であってもよく、カバー３１の背面に設けてもよいし、センサシート３２の前面又は背面に設けてもよい。
特に、スライド操作部Ｍ１に対応して設けられる光透過着色層３１ａは、スライド操作部Ｍ１とセンサシート３２の間（スライド操作部Ｍ１の背面、及び、センサシート３２の前面を含む）、及び、センサシート３２のスライド操作部Ｍ１と対向する箇所の背面の少なくともいずれかに設けられていればもよい。また、光透過着色層３１ａ、加飾層３１ｃ及び遮光層３１ｂは、印刷層に限られず、フィルム材や板材から構成されていてもよい。
【００２７】
アウターケース４０は、表示部１０、画像表示器２０等の各部を収容するものであり、例えば、樹脂により筒状に形成されて遮光性を有する。アウターケース４０の前面側には、前述のカバー３１の外周端部が固定されることにより、パネル部３０が取り付けられる。アウターケース４０の背面側には、図示しないリアカバーが取り付けられる。パネル部３０とリアカバーが取り付けられたアウターケース４０は、表示装置１００の外装を構成する。
【００２８】
発光報知部５０は、センサシート３２が検出した指１の位置と対応して発光し、指１が触れている位置をユーザに報知するための構成である。発光報知部５０は、図３に示す導光体５１と、導光体５１に向かって光を発する複数の光源（図示せず）と、を有する。
【００２９】
導光体５１は、例えば、ポリメタクリル酸メチル樹脂（ＰＭＭＡ）などの透明樹脂から形成され、パネル部３０におけるスライド操作部Ｍ１の背面側に位置する。導光体５１は、図３に示すように、画像表示器２０側が間欠した円筒状をなす。導光体５１は、その前方端部が、パネル部３０のうちスライド操作部Ｍ１が形成された部分と対向する。複数の光源の各々は、例えば、ＬＥＤ（Light Emitting Diode）からなり、図３に示す第１基板７１に実装されている。複数の光源は、スライド操作部Ｍ１の形状に沿って円弧状に配置されるとともに、導光体５１の後方端部と対向して設けられる。導光体５１は、光源が発した光を受けることにより、発光する。以下、このようにスライド操作部Ｍ１に対応して設けられた光源を、第１光源と呼ぶ。
【００３０】
インナーケース６０は、図３に示すように、アウターケース４０の内部に収容され、例えば、所定の樹脂から白色に形成されている。インナーケース６０は、意匠板１１を支持する支持部６０ａと、導光体５１を収容する収容部６１と、タップ操作部Ｍ２の背面側に位置するライトボックス６２と、を有する。
支持部６０ａは、意匠板１１の外形に対応して形成されている。収容部６１は、図３に示すように、支持部６０ａのうち、意匠板１１の文字板部１１１の外周側に位置し、円弧状の空間を有して形成されている。収容部６１に形成された空間は、導光体５１を内部に位置させるとともに、第１光源が発した光が通過する照明空間として機能する。第１光源が導光体５１に向けて発した光は、導光体５１の内部に導かれるとともに、収容部６１の照明空間を形成する内壁において反射して、パネル部３０のうちスライド操作部Ｍ１が形成された部分へ到達する。このように到達した光は、スライド操作部Ｍ１に対応して設けられた光透過着色層３１ａを透過する。これにより、発光報知部５０から発せられた光は、ユーザに視認される。
ライトボックス６２は、円筒状に形成され、後述する第２光源が発した光を内周面で反射させて効率良くタップ操作部Ｍ２へと導く。具体的に、ライトボックス６２は、第１タップ部Ｍａの背面側に位置する第１ボックス６２ａと、第２タップ部Ｍｂの背面側に位置する第２ボックス６２ｂとを有する。第２光源が発した光は、ライトボックス６２内で反射しつつ、パネル部３０のうちタップ操作部Ｍ２が形成された部分へ到達する。このように到達した光は、タップ操作部Ｍ２に対応して設けられた光透過着色層３１ａを透過する。これにより、第２光源の発光により、タップ操作部Ｍ２も発光する。これは、第１タップ部Ｍａ、第２タップ部Ｍｂの各々で同様である。
【００３１】
図３に示す第１基板７１は、表示装置１００の各部を駆動する駆動回路が実装された駆動用基板であり、例えばプリント回路板から構成されている。第１基板７１には、指針１２を回転させるためのモータや、発光報知部５０の第１光源や、タップ操作部Ｍ２を発光させるための第２光源などが実装されている。第２光源は、例えばＬＥＤからなり、第１基板７１の前面側に複数設けられている。具体的に、第２光源は、第１ボックス６２ａ及び第２ボックス６２ｂの各々の内部に設けられている。例えば、第２光源は、タップ操作部Ｍ２を発光させることで、タップ操作部Ｍ２の配置位置をユーザに報知するために設けられている。第１基板７１は、例えば、インナーケース６０の背面側に固定されている。
図２に示す第２基板７２は、第１基板７１を介して、表示装置１００の各部の動作を制御するための制御基板であり、例えばプリント回路板から構成されている。第２基板７２は、図示しない配線を介して、第１基板７１及びセンサシート３２の各々と電気的に接続されている。第２基板７２は、例えば、第１基板７１の背面側に位置し、インナーケース６０に形成されたボス体に固定されている。なお、駆動用基板と制御用基板の機能は、１つの回路基板に集約されていてもよいし、３つ以上の回路基板が協働することで実現されてもよい。
【００３２】
第２基板７２には、表示装置１００の全体動作を制御する制御部（図示せず）が実装されている。制御部は、ＲＯＭ（Read Only Memory）及びＲＡＭ（Random Access Memory）を含む記憶部と、ＲＯＭに記憶された動作プログラムを実行するＣＰＵ（Central Processing Unit）と、を備えるマイクロコンピュータから構成されている。例えば、制御部は、ＣＰＵと協働して画像処理を実行するＧＤＣ（Graphics Display Controller）も備えている。ＧＤＣは、例えば、ＧＰＵ（Graphics Processing Unit）、ＦＰＧＡ（Field-Programmable Gate Array）、ＡＳＩＣ（Application Specific Integrated Circuit）等から構成されている。例えば、制御部は、画像表示器２０の動作を制御する際、ＣＰＵと協働して動作するＧＤＣで画像表示器２０を駆動制御する。制御部のＣＰＵは、ＧＤＣと協働して、ＲＯＭに記憶された各種の画像データに基づき、表示画像の制御を行う。ＧＤＣは、ＣＰＵからの表示制御指令に基づき、画像表示器の表示動作の制御内容を決定する。ＧＤＣは、画像表示器２０に表示する１画面を構成するために必要な画像パーツデータをＲＯＭから読み込み、ＲＡＭへ転送する。また、ＧＤＣは、ＲＡＭを使って、画像パーツデータや外部から通信により受け取った各種の画像データを元に、１画面分の絵データを作成する。そして、ＧＤＣは、ＲＡＭで１画面分の絵データを完成させたところで、画像の更新タイミングに合わせて、画像表示器２０に転送する。これにより、画像表示器２０に所定の画像が表示される。また、画像表示器２０に表示可能な各画像には予めレイヤーが割り当てられており、制御部は、各画像の個別の表示制御が可能となっている。
【００３３】
制御部は、車両の各部を制御するＥＣＵ（Electronic Control Unit）や各種センサと通信を行い、取得したエンジン回転数に応じて指針１２を回転駆動したり、取得した車速等の車両情報を示す画像を画像表示器２０に表示させたりする。例えば、制御部は、後述する通常画面Ｌ１、メインメニュー画面Ｌ２、及びサブメニュー画面Ｌ３（図６（ａ）〜（ｃ）参照）等を画像表示器２０に表示させることが可能である。また、制御部は、ＥＣＵ等の車両で使用可能な各種システムと公知の手法で通信し、ユーザの指１による操作部（スライド操作部Ｍ１、タップ操作部Ｍ２）への入力操作に応じて、車両内における各種システムを制御する。
【００３４】
また、制御部は、スライド操作部Ｍ１やタップ操作部Ｍ２に触れたユーザの指１の位置を示す検出信号をセンサシート３２から取得し、ＮＮ法（Nearest Neighbor algorithm）、ｋ-ＮＮ法（k-Nearest Neighbor algorithm）等の公知の手法により各種の入力操作（ジェスチャ操作）の内容を特定する。例えば、センサシート３２は、スライド操作部Ｍ１にユーザの指１が接触したことを第１対応部Ｃ１において検出する。第１対応部Ｃ１における検出に基づいて、制御部は、スライド操作部Ｍ１に対してなされたスライド操作ＯＰ１の内容を特定する。また、センサシート３２は、タップ操作部Ｍ２にユーザの指１が接触したことを第２対応部Ｃ２において検出する。第２対応部Ｃ２における検出に基づいて、制御部は、タップ操作部Ｍ２に対してなされたタップ操作ＯＰ２の内容を特定する。そして、制御部は、特定したスライド操作ＯＰ１に応じてカーソル画像２を移動させる制御や、特定したタップ操作ＯＰ２に応じて、画像を切り替える制御や、カーソル画像２で選択中の項目を決定する制御などを行う。
【００３５】
ここで、図６を参照して、入力操作に応じた画像表示器２０の画像遷移の一例について説明する。車両のイグニッションがオンされた状態では、画像表示器２０は制御部の制御により、通常画面Ｌ１を表示しているものとする。
【００３６】
図６（ａ）に示すように、通常画面Ｌ１は、車速を示す車速画像３ａと、ギア（シフト）ポジションを示すギア画像３ｂと、残燃料を示すフューエルメータ画像３ｃとを含んで構成される。フューエルメータ画像３ｃは、例えば、円弧状に形成されたスライド操作部Ｍ１における間欠した部分を補うように、円弧状に延びるバーグラフ状に表示される。通常画面Ｌ１において、車速画像３ａとギア画像３ｂとは、フューエルメータ画像３ｃを挟んで位置している。
【００３７】
通常画面Ｌ１が画像表示器２０に表示されている状態において、ユーザがタップ操作部Ｍ２の第１タップ部Ｍａに対してタップ操作ＯＰ２を行うと、制御部は、当該操作に応じて、画像表示器２０の表示画面を通常画面Ｌ１からメインメニュー画面Ｌ２に切り替える。
【００３８】
図６（ｂ）に示すように、メインメニュー画面Ｌ２は、現在の表示内容を示すタイトル画像４ａと、スクロール画像部４ｂとを含んで構成される。メインメニュー画面Ｌ２においてもギア画像３ｂは通常画面Ｌ１と同じ位置に表示される。また、メインメニュー画面Ｌ２においては。車速画像３ａは、通常画面Ｌ１よりも縮小された態様で画面の端部に表示される。タイトル画像４ａは、現在の表示画面がメインメニュー画面Ｌ２であることを示し、図示例では“ＭＡＩＮ  ＭＥＮＵ“という文字を示している。スクロール画像部４ｂは、図における上下方向にスクロール可能な複数の項目画像から構成されている。また、スクロール画像部４ｂには、任意の項目画像が選択状態であることを示すカーソル画像２が併せて表示される。複数の項目画像は、表示装置１００を介して利用可能な各種コンテンツを示す項目を表す。複数の項目画像は、図６（ｂ）に示すように、例えば、サービスや整備履歴の閲覧が可能であることを示す“ＳＥＲＶＩＣＥ”や、車両に関する各種の設定が可能であることを示す“ＦＵＮＣＴＩＯＮ”や、表示画面に関する各種の設定（表示輝度やレイアウトの変更等）が可能であることを示す“ＤＩＳＰＬＡＹ”などから構成されている。
【００３９】
メインメニュー画面Ｌ２が画像表示器２０に表示されている状態において、ユーザがスライド操作部Ｍ１に対してスライド操作ＯＰ１を行うと、制御部は、スライド操作部Ｍ１に指１が接触している位置に応じて、スクロール画像部４ｂ内の項目画像をカーソル画像２に対して上下方向にスクロールさせる。例えば、スライド操作部Ｍ１に対して図１における時計回りにスライド操作ＯＰ１がなされると、スクロール画像部４ｂ内の項目画像は、上方向にスクロールする。これとは逆に、スライド操作部Ｍ１に対して図１における反時計回りにスライド操作ＯＰ１がなされると、スクロール画像部４ｂ内の項目画像は、下方向にスクロールする。このようにして、ユーザはメインメニュー画面Ｌ２に表示されている各項目のうちいずれかを選択することが可能となる。
【００４０】
また、制御部は、センサシート３２からの検出信号に基づき、スライド操作ＯＰ１を特定すると、センサシート３２が検出した指１の位置と対応させて、発光報知部５０の第１光源を発光させる。制御部は、スライド操作ＯＰ１において指１がスライド操作部Ｍ１の所定位置に触れていると特定した場合は、スライド操作部Ｍ１に沿って設けられた複数の第１光源のうち、当該所定位置と対応した位置（例えば、当該所定位置と対向した位置や当該所定位置の近傍）にある特定個数（単数でも複数でもよい）を発光させると共に、他の第１光源を消灯させるといった制御を行う。これにより、発光報知部５０において指１が触れている位置をユーザに報知する。
【００４１】
図６（ｂ）に示すように、任意の項目がカーソル画像２によって選択されている状態において、第１タップ部Ｍａに対してユーザが、決定操作としてのタップ操作ＯＰ２を行うと、制御部は、当該操作に応じて、画像表示器２０の表示画面をメインメニュー画面Ｌ２から、選択対象の項目に関する、より詳細な内容を示すサブメニュー画面Ｌ３に切り替える。つまり、サブメニュー画面Ｌ３は、メインメニュー画面Ｌ２よりも下位の階層の画面である。図６（ｂ）から図６（ｃ）への遷移は、メインメニュー画面Ｌ２において“ＦＵＮＣＴＩＯＮ”が決定された場合の遷移例である。
【００４２】
図６（ｃ）に示すように、例えば、サブメニュー画面Ｌ３は、各画像の配置としてはメインメニュー画面Ｌ２と同様に構成されているが、各画像が示す内容はサブメニュー画面Ｌ３に応じたものとなっている。タイトル画像４ａは、現在の表示画面が車両に関する各種の設定に関するサブメニュー画面Ｌ３であることを示し、図示例では“ＦＵＮＣＴＩＯＮ“という文字を示している。この場合、スクロール画像部４ｂに表示可能な複数の項目画像は、互いに異なる車両の走行性能（例えば、サスペンションやどのくらいの燃費で走行するか等）を実現するモードとして、“Ｆｕｎ  Ｍｏｄｅ”、“Ｓｔｒｅｅｔ  Ｍｏｄｅ”、“Ｃｉｒｃｕｉｔ  Ｍｏｄｅ”等を示す画像から構成される。この際も、各項目が選択状態であることを示すカーソル画像２がスクロール画像部４ｂと併せて表示される。サブメニュー画面Ｌ３における各項目の選択操作及び決定操作や、発光報知部５０による操作位置の発光報知については、メインメニュー画面Ｌ２において説明した内容と同様である。
また、操作可能な内容がより具体的になり、表示画面の階層がさらに下位になっていった場合においても操作手法は同様である。例えば、図６（ｃ）に示すように、任意の項目がカーソル画像２によって選択されている状態において、第１タップ部Ｍａに対してユーザが、決定操作としてのタップ操作ＯＰ２を行うと、制御部は、当該操作に応じて、画像表示器２０の表示画面をサブメニュー画面Ｌ３から、さらに下位の画面に切り替える。切り替え後の画面では、車両のサスペンションセッティング等の設定変更が可能となる。なお、このような選択操作や決定操作を受け付けた制御部は、当該操作対象の車両のＥＣＵに操作内容を示す操作信号を送信し、当該操作信号を受信したＥＣＵは、操作内容に従った車両のセッティング変更等の制御を実行する。
【００４３】
通常画面Ｌ１より下位の階層の画面（つまり、メインメニュー画面Ｌ２、サブメニュー画面Ｌ３、サブメニュー画面Ｌ３よりも下位の階層の画面）が表示されている状態において、ユーザがタップ操作部Ｍ２のうち、第２タップ部Ｍｂに対してタップ操作ＯＰ２を行うと、制御部は、所定期間内に行われたタップ操作ＯＰ２の回数に応じて、画像表示器２０の表示画面の階層を戻す。例えば、サブメニュー画面Ｌ３が表示されている状態において、第２タップ部Ｍｂに対してタップ操作ＯＰ２が１回行われると、表示画面がサブメニュー画面Ｌ３からメインメニュー画面Ｌ２へと戻る（１つ上位の階層の画面へ復帰する）。また、サブメニュー画面Ｌ３が表示されている状態において、第２タップ部Ｍｂに対してタップ操作ＯＰ２が２回行われると、表示画面がサブメニュー画面Ｌ３から通常画面Ｌ１へと戻る（２つ上位の階層の画面へ復帰する）。つまり、第２タップ部Ｍｂへのタップ操作ＯＰ２により、以前に表示されていた画面への復帰が可能となる。
【００４４】
なお、本発明は、以上の実施形態によって限定されるものではない。本発明の要旨を変更しない範囲で、適宜、変形（構成要素の削除も含む）を加えることが可能である。以下に種々の変形例を説明する。
【００４５】
（一変形例）
以上の実施形態では、表示部１０を指針式計器で構成する例を示したが、これに限られない。例えば、スライド操作部Ｍ１は、画像を表示する表示部の外周の少なくとも一部に沿って形成されてもよい。このように画像を表示する表示部２１０を備えた変形例に係る表示装置２００を、図７を参照して説明する。なお、この変形例については、以上の実施形態と機能が共通する構成については、前記と同様の符号を示すとともに説明を省略し、以上の実施形態と異なる部分について主に説明する。
図７に示す変形例では、表示部２１０は、画像表示器２０の画像表示領域の一部分として構成されている。なお、同図では、画像表示器２０の画像表示領域を破線で示している。表示部２１０においては、前述と同様に各種画面が表示可能となっている。パネル部３０における透過部３０ａは、画像表示器２０の画像表示領域を透かして視認させることが可能に形成されている。スライド操作部Ｍ１は、表示部２１０の外周を囲むように、円環状に形成されている。第１タップ部Ｍａ及び第２タップ部Ｍｂを含むタップ操作部Ｍ２は、円環状のスライド操作部Ｍ１の内部に配置されている。図示しないが、この変形例に係るパネル部３０においても、センサシート３２は、スライド操作部Ｍ１の立体形状に対応した第１対応部Ｃ１と、タップ操作部Ｍ２の立体形状に対応した第２対応部Ｃ２と、を有している。表示装置２００を以上のように構成することもできる。
【００４６】
（他の変形例）
画像を表示する表示部の外周の少なくとも一部に沿って形成されたスライド操作部Ｍ１の内側に位置する表示部は、前述の変形例のように画像表示器２０の画像表示領域の一部に限られず、画像表示器２０の画像表示領域の全域であってもよい。
【００４７】
また、指針式計器として構成される表示部１０は、タコメータに限られず任意であり、例えばスピードメータとして構成されてもよい。
【００４８】
スライド操作部Ｍ１の表面に、凹凸形状を設けてもよい。こうすれば、ユーザは、指１の触覚により、現在、スライド操作部Ｍ１のどの部分に触れているかを把握することができる。
【００４９】
スライド操作ＯＰ１を行うユーザが現在、どの位置を触れているかを把握することができれば、発光報知部５０の構成（例えば、導光体５１の形状や、導光体５１に向かって光を発する第１光源の個数等）は、任意である。また、制御部は、センサシート３２からの検出信号に基づきタップ操作ＯＰ２を特定した場合に、センサシート３２が検出した指１の位置と対応させて、第２光源の発光制御を行ってもよい。例えば、制御部は、センサシート３２が検出した指１の位置と対応した位置にある第２光源を発光させることで、タップ操作部Ｍ２のうち、第１タップ部Ｍａと第２タップ部Ｍｂのいずれに指１が触れているかを報知してもよい。また、発光報知部５０に含まれる複数の第１光源には、互いに異なる色の光を発するものが含まれていてもよい。
【００５０】
また、スライド操作ＯＰ１に応じて移動する画像は、スクロール画像部４ｂにおける項目画像に限られず、カーソル画像２や、他のポインタ画像であってもよい。また、タップ操作部Ｍ２の個数は任意に定めることができる。タップ操作部Ｍ２を１つだけ設けた場合、タップ操作部Ｍ２へのタップ回数により、決定操作や復帰操作が特定されるように構成することができる。例えば、制御部は、タップ操作部Ｍ２に対して所定期間内に１回だけタップ操作ＯＰ２がなされた場合には、入力操作の内容が決定操作であると特定し、当該所定期間内に複数回のタップ操作ＯＰ２がなされた場合には、入力操作の内容が復帰操作で特定してもよい。なお、スライド操作部Ｍ１とタップ操作部Ｍ２の各々でどのような入力操作を可能とするかや、入力操作に応じた画像の遷移や、入力操作可能な対象機器などは、設計に応じて任意に変更可能である。例えば、制御部は、スライド操作部Ｍ１においてタップ操作ＯＰ２がなされたことを特定可能であってもよい。また、スライド操作部Ｍ１やタップ操作部Ｍ２は、パネル部３０の前面側に向かって隆起した形状に限られず、パネル部３０の背面側に向かって凹む形状であってもよい。
【００５１】
また、スライド操作部Ｍ１やタップ操作部Ｍ２を利用して入力操作が可能となる対象機器は、上記の例に限られず任意であり、空調（エアコン）装置、車両内の任意のＥＣＵ（例えば、運転モードの切り替え制御を行うもの）、カーナビゲーションシステム、オーディオシステム等であってもよい。この場合、制御部は、当該対象機器と公知の手法で通信し、ユーザの指１による操作部（スライド操作部Ｍ１、タップ操作部Ｍ２）への入力操作に応じて、当該対象機器を制御すればよい。
【００５２】
表示装置１００，２００が搭載される乗り物は、自動二輪車でなく、自動四輪車等の車両であってもよいし、車両以外の船舶、航空機、スノーモービルなどの乗り物であってもよい。この場合において、表示装置１００，２００は、ハンドルやステアリングホイールなどの操舵装置の近傍に設けることが好ましい。また、入力操作の際にユーザが操作部（スライド操作部Ｍ１、タップ操作部Ｍ２）を触れる部位は、指１以外の掌の任意の箇所や、手の甲などであってもよいし、ユーザがグローブを装着している場合における所定部位であってもよい。また、センサシート３２の検出結果に基づき制御部が特定可能な操作は、公知のジェスチャ操作であれば任意である。
【００５３】
以上では、カバー３１とセンサシート３２とを一体に成形する例を示したが、カバー３１の背面にセンサシート３２を貼り付ける構成を採用してもよい。また、センサシート３２は、カバー３１の背面に複数枚、設けられてもよい。
【００５４】
（１）以上に説明した表示装置１００（以下、表示装置２００についても断りがない場合は同様。）は、車両（乗り物の一例）に搭載される。表示装置１００は、情報を表示する表示部１０と、表示部１０の前面側に位置するパネル部３０であって、表示部１０を透かして視認させる透光部３０ａを有するパネル部３０と、を備える。パネル部３０は、入力操作を行うユーザの指１（部位の一例）が接触する立体形状の操作部（スライド操作部Ｍ１、タップ操作部Ｍ２）が形成されたカバー３１と、カバー３１における表示部１０側の面（背面）に沿って設けられ、指１が操作部に接触したことを検出するセンサシート３２と、を備える。センサシート３２は、操作部の立体形状に対応した形状の対応部（第１対応部Ｃ１、第２対応部Ｃ２）を有する。操作部は、表示部１０の外周の少なくとも一部に沿って形成され、入力操作としてのスライド操作ＯＰ１を受け付けるスライド操作部Ｍ１を含む。この構成によれば、カバー３１に設けられた操作部に触れることで入力操作が可能であるため、直感的な入力操作が可能となる。また、操作部に含まれるスライド操作部Ｍ１は、表示部１０の外周の少なくとも一部に沿って形成されるため、表示部１０を装飾する枠やベゼルのような見栄えとすることもできる。当該構成によれば、表示部１０を装飾する部材に、入力操作が可能な機能を付与することができるため、表示装置１００の見栄えを良好且つ簡潔にすることもできる。
【００５５】
（２）また、操作部は、入力操作としてのタップ操作ＯＰ２を受け付けるタップ操作部Ｍ２を含み、
タップ操作部Ｍ２は、スライド操作部Ｍ１とは異なる位置においてカバー３１の前面側へと隆起している。この構成によれば、種々の入力操作をパネル部３０において行うことが可能となる。
【００５６】
（３）また、表示装置１００は、センサシート３２が検出した指１の位置と対応して発光する発光報知部５０を備え、発光報知部５０は、パネル部３０に向けて光を発することで、指１が触れている位置を報知する。この構成によれば、ユーザが現在操作している箇所を報知させることができるため、ユーザフレンドリな表示装置１００を提供することができる。
【００５７】
（４）また、スライド操作部Ｍ１とセンサシート３２の間、及び、センサシート３２のスライド操作部Ｍ１と対向する箇所の背面の少なくともいずれかには、発光報知部５０がスライド操作部Ｍ１に向けて発した光を透過させるとともに所定の色を有する光透過着色層３１ａが設けられている。この構成によれば、光透過着色層３１ａによって、発光報知部５０が発した光を透過させつつも、パネル部３０のスライド操作部Ｍ１を任意の見栄えとすることができる。
【００５８】
（５）また、スライド操作部Ｍ１は、円弧に沿った形状、又は円環状をなしていてもよい。
【００５９】
（６）また、カバー３１とセンサシート３２とは、一体に成形されている。この場合、前述のように、インモールド成形やフィルムインサート成形などの手法で、カバー３１とセンサシート３２とを一体に成形することができる。こうすれば、立体形状を有する操作部と対応した形状のセンサシート３２をカバー３１内に設けることができ、センサシート３２の検出精度の低下や、センサシート３２がカバー３１から剥がれてしまうこと等を防止することができる。
【００６０】
（７）また、表示装置１００，２００は、画像の表示制御を行う制御部（例えば、第２基板７２に実装された制御部）を備える。前記画像は、図７に示した変形例においては表示部２１０に表示され、図１等に示した実施形態においては表示部１０とは異なる位置に設けられた画像表示器２０に表示される。制御部は、センサシート３２からの検出信号に基づきスライド操作ＯＰ１がなされたことを特定し、特定したスライド操作ＯＰ１に応じて前記画像に含まれる所定画像（例えば、スクロール画像部４ｂに表示される項目画像）を移動させる。この構成によれば、スライド操作部Ｍ１に沿って行われるスライド操作ＯＰ１と連動して所望の画像が移動するため、ユーザに、より直感的な入力操作を体感させることができる。
【００６１】
以上の説明では、本発明の理解を容易にするために、公知の技術的事項の説明を適宜省略した。
【符号の説明】
【００６２】
１００…表示装置
１０…表示部、１１…意匠板、１２…指針
２０…画像表示器
３０…パネル部、３０ａ…透光部
３１…カバー、３１ａ…光透過着色層、３１ｂ…遮光層、３１ｃ…加飾層
Ｍ１…スライド操作部、ＯＰ１…スライド操作
Ｍ２…タップ操作部、ＯＰ２…タップ操作
３２…センサシート、Ｃ１…第１対応部、Ｃ２…第２対応部
４０…アウターケース
５０…発光報知部、５１…導光体
６０…インナーケース、７１…第１基板、７２…第２基板
１…指、２…カーソル画像
Ｌ１…通常画面、Ｌ２…メインメニュー画面、Ｌ３…サブメニュー画面
【図１】
2020204868.tif 000003
【図２】
2020204868.tif 000004
【図３】
2020204868.tif 000005
【図４】
2020204868.tif 000006
【図５】
2020204868.tif 000007
【図６】
2020204868.tif 000008
【図７】
2020204868.tif 000009